(57)【要約】【課題】体積エネルギー密度を低下させることなく、蓄電装置の温度調節を好適に行うことができる蓄電ユニットを提供すること。【解決手段】金属箔に活物質を塗布してなる電極シートが層状をなす電極体をケース１２内に収容した複数の二次電池１１を含む電池モジュール１０であって、電極体の端部には、活物質が塗布されていない電極タブ群がそれぞれ設けられており、前記端部の延びる方向から見て、電極体の電極タブ群における厚みは電極体の活物質が塗布されている部分における厚みよりも薄く、左右方向におけるケース１２の両端部は、左右方向において端部に向かうほど電極タブ群の厚み方向における壁部間の距離が小さくなるように傾斜する各壁部１２ｃを含んでおり、複数の二次電池１１は、前後方向及び左右方向にそれぞれ隣接して配設され、複数の各壁部１２ｃの外面により囲まれる空間が媒体流路３３となっている。【選択図】図１
2013211175.tif 000002
【特許請求の範囲】
【請求項１】
導電性を有するシートの少なくともいずれか一方の面に活物質を塗布してなる電極シートが層状をなす積層型又は断面が扁平形状をした捲回型の電極体をケース内に収容した複数の蓄電装置を含む蓄電ユニットであって、
前記電極体の第１辺及び前記第１辺とは反対側に配置される第２辺には、前記活物質が塗布されていない未塗工部がそれぞれ設けられており、
前記第１辺の延びる方向から見て、前記電極体の前記未塗工部における厚みは前記電極体の前記活物質が塗布されている部分における厚みよりも薄く、
前記第１辺の延びる方向から見て、前記未塗工部の厚み方向と直交する方向における前記ケースの両端部は、前記未塗工部の厚み方向と直交する方向において端部に向かうほど前記未塗工部の厚み方向における壁部間の距離が小さくなるように傾斜する傾斜部を含んでおり、
前記第１辺の延びる方向から見て、複数の前記蓄電装置は、前記未塗工部の厚み方向及び前記未塗工部の厚み方向に直交する方向にそれぞれ隣接して配設され、
複数の前記傾斜部の外面により囲まれる空間が熱交換媒体を流すための媒体流路となっていることを特徴とする蓄電ユニット。
【請求項２】
前記未塗工部は、１つの前記電極体毎にそれぞれ１つに纏めて接合されていることを特徴とする請求項１に記載の蓄電ユニット。
【請求項３】
前記複数の蓄電装置のケースは、それぞれ別体に形成されていることを特徴とする請求項１または２に記載の蓄電ユニット。
【請求項４】
前記第１辺の延びる方向に直交する面における前記ケースの断面形状は、前記第１辺の延びる方向から見て前記未塗工部の厚み方向と直交する方向における前記ケースの両端に頂点を配置した六角形状をなしていることを特徴とする請求項１〜３のいずれか１項に記載の蓄電ユニット。
【発明の詳細な説明】
【技術分野】
【０００１】
本発明は、複数の蓄電装置を含む蓄電ユニットに関する。
【背景技術】
【０００２】
従来から、蓄電装置の一種である二次電池としては、リチウムイオン二次電池やニッケル水素二次電池がよく知られている。例えばリチウムイオン二次電池は、金属箔に活物質層を形成した電極を積層してなる電極体と、電解質塩（リチウム塩）を溶解させた非水電解質と、をケース（電池槽）に収容した構成とされている。そして、このような二次電池の中には、熱交換媒体によって二次電池と熱交換を行い、二次電池の動作（充電及び放電）に適した温度に調節することが行われている（例えば特許文献１）。
【０００３】
特許文献１の電池モジュール（蓄電ユニット）では、直方体状をなす複数の二次電池（電池セル）を併設（積層）するとともに、各二次電池の間に中空構造をなすジャケットを介挿させ、このジャケット内に熱交換媒体（例えば水）を流すことで二次電池の温度調節を行っている。
【先行技術文献】
【特許文献】
【０００４】
【特許文献１】特開平９−１９９１８６号公報
【発明の概要】
【発明が解決しようとする課題】
【０００５】
しかしながら、特許文献１の電池モジュールでは、熱交換媒体を流すための専用のジャケットを別体に設けていることから、電池モジュール全体として大型化し、電池モジュールとしての体積エネルギー密度が低下する。このため、電池モジュールとしての高性能化に対する要求が高まっている昨今においては、温度調節を行いやすくしつつも、それに伴う体積エネルギー密度の低下をできる限り抑制することが強く望まれている。
【０００６】
この発明は、上記従来技術に存在する問題点に着目してなされたものであり、その目的は、体積エネルギー密度を低下させることなく、蓄電装置の温度調節を好適に行うことができる蓄電ユニットを提供することにある。
【課題を解決するための手段】
【０００７】
上記課題を解決するために、請求項１に記載の発明は、導電性を有するシートの少なくともいずれか一方の面に活物質を塗布してなる電極シートが層状をなす積層型又は断面が扁平形状をした捲回型の電極体をケース内に収容した複数の蓄電装置を含む蓄電ユニットであって、前記電極体の第１辺及び前記第１辺とは反対側に配置される第２辺には、前記活物質が塗布されていない未塗工部がそれぞれ設けられており、前記第１辺の延びる方向から見て、前記電極体の前記未塗工部における厚みは前記電極体の前記活物質が塗布されている部分における厚みよりも薄く、前記第１辺の延びる方向から見て、前記未塗工部の厚み方向と直交する方向における前記ケースの両端部は、前記未塗工部の厚み方向と直交する方向において端部に向かうほど前記未塗工部の厚み方向における壁部間の距離が小さくなるように傾斜する傾斜部を含んでおり、前記第１辺の延びる方向から見て、複数の前記蓄電装置は、前記未塗工部の厚み方向及び前記未塗工部の厚み方向に直交する方向にそれぞれ隣接して配設され、複数の前記傾斜部の外面により囲まれる空間が熱交換媒体を流すための媒体流路となっていることを要旨とする。
【０００８】
これによれば、電極体における第１辺の延びる方向から見て、未塗工部の厚みは電極体の活物質が塗布されている部分における厚みよりも薄い。そして、第１辺の延びる方向から見て、未塗工部の厚み方向と直交する方向におけるケースの両端部は、未塗工部の厚み方向と直交する方向において端部に向かうほど未塗工部の厚み方向における壁部間の距離が小さくなるように傾斜する傾斜部を含んでいる。このため、ケース（電極体）の両端部において、電極体の未塗工部と壁部との間に生じるデッドスペースを削減し、個々の蓄電装置における体積エネルギー密度を向上させることができる。そして、第１辺の延びる方向から見て、未塗工部の厚み方向及び未塗工部の厚み方向に直交する方向に、複数の蓄電装置がそれぞれ隣接して配設され、これにより複数の傾斜部の外面により囲まれる空間が熱交換媒体を流すための媒体流路となっている。このため、傾斜部を設けることによって作り出されたケースの外側の空間を利用し、全体としての体積を増加させることなく媒体流路を形成することができる。したがって、請求項１に記載の発明では、体積エネルギー密度を低下させることなく、蓄電装置の温度調節を好適に行うことができる。
【０００９】
請求項２に記載の発明は、請求項１に記載の蓄電ユニットにおいて、前記未塗工部は、１つの前記電極体毎にそれぞれ１つに纏めて接合されていることを要旨とする。
これによれば、１つの電極体毎に未塗工部が１つに纏めて接合されている。このため、未塗工部を複数に分割する構成と比較して、ケース内におけるデッドスペースをさらに削減できるととともに、傾斜部によってケースの外側により大きな空間を作りだすことができる。したがって、蓄電装置を配置することによって形成できる媒体流路の流路面積を大きくし、熱交換媒体との熱交換をさらに促進することができる。
【００１０】
請求項３に記載の発明は、請求項１または２に記載の蓄電ユニットにおいて、前記複数の蓄電装置のケースは、それぞれ別体に形成されていることを要旨とする。
これによれば、複数の蓄電装置のケースがそれぞれ別体に形成されることから、複数の蓄電装置を一体に形成する場合と比較して、蓄電ユニットを構成する蓄電装置の個数やレイアウトを自由に変更することができる。
【００１１】
請求項４に記載の発明は、請求項１〜３のいずれか１項に記載の蓄電ユニットにおいて、前記第１辺の延びる方向に直交する面における前記ケースの断面形状は、前記第１辺の延びる方向から見て前記未塗工部の厚み方向と直交する方向における前記ケースの両端に頂点を配置した六角形状をなしていることを要旨とする。
【００１２】
これによれば、ケースの全体を簡単な形状としつつも、ケースの外部に媒体流路となる空間を大きく設けることができる。
【発明の効果】
【００１３】
本発明によれば、体積エネルギー密度を低下させることなく、蓄電装置の温度調節を好適に行うことができる。
【図面の簡単な説明】
【００１４】
【図１】電池モジュールを模式的に示す斜視図。
【図２】二次電池を模式的に示す斜視図。
【図３】部分的に分解した電極体を模式的に示す斜視図。
【図４】別の実施形態における二次電池を模式的に示す斜視図。
【図５】分解した別の実施形態における電極体を模式的に示す斜視図。
【図６】（ａ）及び（ｂ）は、別の実施形態における電池モジュール（二次電池）を模式的に示す平面図。
【発明を実施するための形態】
【００１５】
以下、本発明を具体化した一実施形態を図１〜図３にしたがって説明する。
図１に示すように、車両（例えば産業車両や乗用車両）に搭載される蓄電ユニットとしての電池モジュール１０は、全体として扁平な略六角柱状（六角柱状）をなす複数の蓄電装置としての二次電池１１を含み、これら複数の二次電池１１を組み合わせることにより構成されている。本実施形態の各二次電池１１は、それぞれ独立して別体に形成されている。
【００１６】
最初に、電池モジュール１０を構成する各二次電池１１について説明する。図２に示すように、各二次電池１１は、全体として扁平な略六角柱状（六角柱状）をなす同一形状のケース１２をそれぞれ備えている。また、複数の二次電池１１において、ケース１２はそれぞれ別体に形成されている。ケース１２は、有底筒状（本実施形態では平面視で六角形の有底筒状）に形成された本体部材１３、及び本体部材１３の開口部１２ａを密閉するように、本体部材１３に組み付けられる平面視で六角形の平板状をなす蓋部材１４から形成されている。
【００１７】
本体部材１３、及び蓋部材１４は、何れも金属（例えばステンレスやアルミニウムなど）から形成されている。以下の説明では、矢印Ｙ１に示すケース１２の長手方向を左右方向と示し、矢印Ｙ２に示すケース１２の高さ方向を上下方向と示し、矢印Ｙ３に示すケース１２の短手方向を前後方向と示す。
【００１８】
蓋部材１４の外面（上面）には、円柱状（略円柱状）をなす正極端子１５、及び負極端子１６が突出するように設けられている。なお、正極端子１５及び負極端子１６は、ケース１２（本体部材１３及び蓋部材１４）と絶縁された状態とされている。
【００１９】
また、ケース１２内には、全体として左右方向に扁平な略矩形平板状（矩形平板状）をなす電極体２１が収容（収納）されているとともに、この電極体２１では、導電性を有するシート（基材）に活物質（活物質を含む活物質合剤）を塗布してなる電極シート２４がセパレータ（隔膜）２３を介した状態で層状をなしている。なお、本実施形態の電極体２１は、絶縁材料からなる図示しない絶縁袋に覆われた状態でケース１２内に収容されているとともに、ケース１２内には、例えばリチウムイオン二次電池や、ニッケル水素二次電池というように、二次電池１１の種類に応じた電解質が充填されている。
【００２０】
図３に示すように、各電極シート２４は、長尺の矩形シート状（帯状）をなす前記シート（基材）としての金属箔２４ａを備えている。金属箔２４ａは、例えばリチウムイオン二次電池や、ニッケル水素二次電池というように、二次電池１１の種類に応じた金属（例えばアルミニウムや銅など）により形成される。また、金属箔２４ａに用いられる金属は、正極用の電極シート２４と、負極用の電極シート２４とでも異なる。
【００２１】
また、正極用の電極シート２４における金属箔２４ａの両面には、金属箔２４ａにおける幅方向（矢印Ｙ１に示す）の左端部Ｅ１から長さ方向（矢印Ｙ４に示す）の全幅にわたって一定幅で設定された非塗布領域２５を除き、その全面に活物質が塗布され、活物質層２６が形成されている。同様に、負極用の電極シート２４における金属箔２４ａの両面には、金属箔２４ａにおける幅方向の右端部Ｅ２から長さ方向の全幅にわたって一定幅で設定された非塗布領域２５を除き、その全面に活物質が塗布され、活物質層２６が形成されている。なお、各金属箔２４ａには、二次電池１１の種類に応じた活物質が塗布される。また、各金属箔２４ａに塗布される活物質は、正極用の電極シート２４と、負極用の電極シート２４とでも異なる。なお、各電極シート２４のうち、金属箔２４ａの表面に活物質層２６が形成された領域は塗工部となる。
【００２２】
また、正極用の電極シート２４における非塗布領域２５は、幅方向の外側（左側）へ突出された正極用の電極タブ２７とされている一方で、負極用の電極シート２４における非塗布領域２５は、幅方向の外側（右側）へ突出された負極用の電極タブ２７とされている。したがって、正極用の電極タブ２７、及び負電用の電極タブ２７の表面には、活物質層２６が形成されていない。また、長尺の矩形シート状（帯状）をなすセパレータ２３は、絶縁性を有する樹脂材料からなり、極めて微細な空孔構造をなす多孔性シートとされている。
【００２３】
そして、本実施形態では、セパレータ２３を介在させた状態で長尺の矩形シート状（帯状）に形成された正極用の電極シート２４及び負極用の電極シート２４を渦まき状に捲回することにより、各電極シート２４が捲回軸線と直交する方向において、複数層にわたって層状をなす電極体２１が形成される。本実施形態の電極体２１は、左右方向に直交する平面で切断した断面が扁平形状をなす捲回型の電極体である。なお、電極体２１の最外周、及び最内周にはセパレータ２３が配置されている。また、電極体２１の左端部Ｅ１には、正極用の電極タブ２７が複数層にわたって層状をなす正極用の電極タブ群２８が形成されている。同様に、電極体２１の右端部Ｅ２には、負極用の電極タブ２７が複数層にわたって層状をなす負極用の電極タブ群２８が形成されている。本実施形態では、左端部Ｅ１が第１辺となり、右端部Ｅ２が第２辺となる。
【００２４】
また、図２に示すように、正極用の電極タブ群２８、及び負極用の電極タブ群２８は、それぞれ電極体２１における前後方向（面方向と直交する方向）からプレス加工（圧縮）され、１つに纏められている（寄り合わされている）。このため、各電極タブ群２８は、前面及び後面が、平面視で略三角形状となるように配置され、前後方向の幅（厚さ）が先端側に向かって狭くなるように形成されている。即ち、上下方向（左端部Ｅ１の延びる方向）から見て、電極体２１の電極タブ群２８における厚みは、電極体２１において活物質が塗布されている部分（塗工部）における厚みよりも薄く形成されている。
【００２５】
このように、電極体２１における左右方向（捲回軸線が延びる方向）の左端部Ｅ１及び左端部Ｅ１とは反対側に配置される右端部Ｅ２には、各端部Ｅ１，Ｅ２に沿って上下方向に延びる電極タブ群２８が電極体２１における左右方向の外側へ向けて突出するようにそれぞれ設けられている。本実施形態では、電極体２１の捲回軸線が延びる方向（左右方向）が各電極タブ群２８の突出方向（延設方向）となり、上下方向から見て電極タブ群２８の厚み方向と直交する方向となる。また、本実施形態では、電極タブ群２８（各電極タブ２７）が未塗工部となる。
【００２６】
そして、電極体２１は、捲回軸線が延びる方向とケース１２の長手方向とを一致させ、且つ各電極タブ群２８が延びる方向とケース１２の高さ方向とを一致させた状態で本体部材１３に挿入するように収容されている。前述のように、本体部材１３（ケース１２）は、平面視で六角形の有底筒状に形成されていることから、ケース１２における前後方向の両側に設けられた壁部１２ｂは、電極体２１における前後方向の両側に形成された扁平面に沿って相互に平行となるように配置される。
【００２７】
また、ケース１２において左右方向（電極タブ群２８の突出方向）の左端には、電極タブ群２８を前後方向から挟むように対をなす各壁部１２ｃが配置される。また、各壁部１２ｃは、平面視で三角形状をなす電極タブ群２８に沿って、前後方向（電極タブ群２８の突出方向及び延びる方向と直交する方向）における各壁部１２ｃ同士の離間距離が、電極体２１における左右方向の外側に向かうほど小さくなるように傾斜させて設けられている。
【００２８】
より具体的に言えば、各壁部１２ｃは、前後方向における内壁面同士の離間距離、及び外壁面同士の離間距離のいずれについても、電極体２１における左右方向の外側（左側）に向かうほど小さくなるように形成されている。即ち、各壁部１２ｃは、当該各壁部１２ｃの内壁面が電極タブ群２８に近接して沿うように形成されている。本実施形態では、ケース１２において左右方向の右端に配置される各壁部１２ｃについても同様に構成されている。
【００２９】
したがって、ケース１２における左右方向の両端部には、それぞれ電極タブ群２８に沿うように、且つ電極タブ群２８を囲うように各壁部１２ｃが形成されている。そして、上下方向（電極タブ群２８が延びる方向）と直交する平面で切断した場合におけるケース１２の断面形状は、左端部Ｅ１の延びる方向から見て、左右方向（電極タブ群２８の厚み方向と直交する方向）におけるケース１２の両端に頂点を配置した六角形状（略六角形状）をなしている。以上のように、左端部Ｅ１の延びる方向から見て、電極タブ群２８の厚み方向と直交する方向におけるケース１２の両端部は、電極タブ群２８の厚み方向と直交する方向において端部に向かうほど電極タブ群２８の厚み方向における各壁部１２ｃ間の距離が小さくなるように傾斜する各壁部１２ｃを含む。本実施形態では、各壁部１２ｃが傾斜部となる。
【００３０】
また、正極用の電極タブ群２８（電極タブ２７）と、上述の正極端子１５とは、集電部材としての集電端子３０によって電気的に接続されている。また、負極用の電極タブ群２８（電極タブ２７）と、上述の負極端子１６とは、集電部材としての集電端子３１によって電気的に接続されている。なお、本実施形態の集電端子３１は、集電端子３０と同一構成（形状）であるとともに、集電端子３１と負極用の電極タブ群２８との接続構造は、集電端子３０と正極用の電極タブ群２８との接続構造と左右対称である。したがって、以下の説明では、主に集電端子３０の構成、及び集電端子３０と正極用の電極タブ群２８との接続構造について詳しく説明し、集電端子３１の構成、及び集電端子３１と負極用の電極タブ群２８との接合構造については、同一符号を付すなどしてその説明を省略又は簡略する。
【００３１】
集電端子３０は、金属（例えばアルミニウムや銅）からなり、例えばＬ字型に打ち抜いた金属板を折り曲げて形成されている。詳しく説明すると、集電端子３０は、電極体２１における左右方向の外側（左側）に向かって延びる平面視で矩形の平板状をなす延設部３０ａを備えている。この延設部３０ａは、蓋部材１４の内面（下面）に対して絶縁された状態で固定されているとともに、延設部３０ａの基端部（右端部）には、正極端子１５のうちケース１２の外側に露出するように突出する上端部とは反対側の下端部が接合され、電気的に接続されている。
【００３２】
また、延設部３０ａの先端部（左端部）において前後方向の一方の端部（後端部）には、正面視で矩形の平板状をなす垂下部３０ｂが上下方向（電極タブ群２８の延びる方向）に沿って延びるように垂下されている。即ち、垂下部３０ｂは、電極タブ群２８（電極タブ２７）の外周面に沿って延びるように形成されている。そして、この垂下部３０ｂには、正極用の電極タブ群２８が１つに纏められた（寄り合された）状態で、例えば超音波溶接や、抵抗溶接（スポット溶接）によって接合され、電気的に接続されている。このように、本実施形態の正極用の電極タブ群２８は、１つの電極体２１毎にそれぞれ１つに纏めて接合されている。同様に、負極用の電極タブ群２８は、１つの電極体２１毎にそれぞれ１つに纏めて接合されている。
【００３３】
そして、図１に示すように、電池モジュール１０は、電池モジュール１０に対して上面面側から熱交換媒体（熱媒体）を供給するための供給路（供給通路）、及び電池モジュール１０の下面側から熱交換媒体を排出するための排出路（排出通路）を備えたモジュール収容部（モジュール容器）３２に収容される。
【００３４】
モジュール収容部３２内において、電池モジュール１０を構成する複数の二次電池１１は、上下方向（電極体２１における左端部Ｅ１の延びる方向）から見て、ケース１２の長手方向（電極タブ群２８の厚み方向に直交する方向）、及びケース１２の短手方向（電極タブ群２８の厚み方向）にそれぞれ隣接して配設されている。本実施形態の電池モジュール１０は、前後方向に３つ、左右方向に２つの二次電池１１を配置して構成されている。
【００３５】
詳しく説明すると、電池モジュール１０において各二次電池１１は、各二次電池１１における左右方向の中心線を一致させた状態で前後方向に並ぶように、且つ前後方向に隣り合う二次電池１１の壁部１２ｂ同士を面接触させるように固定されている。同様に、電池モジュール１０において各二次電池１１は、各二次電池１１における前後方向の中心線を一致させた状態で左右方向に並ぶように、且つ左右方向に隣り合う二次電池１１の壁部１２ｃの先端部同士を接触（線接触）させるように固定されている。
【００３６】
このため、本実施形態の電池モジュール１０では、４つの二次電池１１における各壁部１２ｃがモジュール収容部３２の内部空間の一部を囲うように配置され、熱交換媒体（空気など）を上下方向に流すための媒体流路３３が形成される。本実施形態の媒体流路３３は、上述した各壁部１２ｃを含むケース１２の壁部により囲うようにして、電極タブ群２８に沿って形成されている。このように、本実施形態では、複数の壁部１２ｃの外面により囲まれる空間が熱交換媒体を流すための媒体流路３３となっている。
【００３７】
また、本実施形態の電池モジュール１０は、前後方向の長さがモジュール収容部３２の内壁面のうち前後方向に配置された内壁面の離間距離と一致されているとともに、左右方向の長さがモジュール収容部３２の内壁面のうち左右方向に配置される内壁面の離間距離と一致されている。したがって、電池モジュール１０において、前後方向の外側に配置された二次電池１１は、その壁部１２ｂがそれぞれモジュール収容部３２の内壁面と面接触している。一方、各二次電池１１は、電池モジュール１０において左右方向の外側に配置された各壁部１２ｃの先端部がそれぞれモジュール収容部３２の内壁面と接触（線接触）している。
【００３８】
このような構成により、本実施形態の電池モジュール１０では、モジュール収容部３２の内壁面と、二次電池１１の各壁部１２ｃとで囲むようにして、熱交換媒体を上下方向に流すための媒体流路３５が形成される。即ち、各媒体流路３５は、上述した各壁部１２ｃを含むケース１２の壁部により少なくとも一部を囲うようにして、電極タブ群２８に沿って形成されている。
【００３９】
本実施形態において、電池モジュール１０を構成する各二次電池１１は、二点鎖線で示すブスバー（バスバー）３６によって正極端子１５及び負極端子１６を連結することにより、直列、又は並列となるように接続されている。以上のように、本実施形態では、電池モジュール１０（二次電池１１）、及びモジュール収容部３２から蓄電システム３７として把握することもできる。
【００４０】
次に、上記のように構成した電池モジュール１０（二次電池１１）の作用について説明する。
図２に示すように、電池モジュール１０を構成する各二次電池１１では、電極体２１における左右方向の両端部Ｅ１，Ｅ２に設けられた電極タブ群２８を上下方向に扁平な形状に成形し、それぞれ集電端子３０，３１に接合させている。そして、各二次電池１１では、電極タブ群２８に沿って各壁部１２ｃを配置することにより、ケース１２（本体部材１３及び蓋部材１４）を六角柱状に形成している。
【００４１】
このため、図１に示すように、各二次電池１１では、例えば二次電池１１を左右方向に扁平な直方体状に形成した場合（図中に二点鎖線で示す）と比較して、ケース１２における左右方向の両端において、電極タブ群２８と各壁部１２ｃとの間に生じるデッドスペースを削減し、個々の二次電池１１における体積エネルギー密度を向上させることができる。また、各二次電池１１では、電極タブ群２８に沿って各壁部１２ｃを傾斜させるように設けることで、二次電池１１を左右方向に扁平な直方体状に形成した場合と比較して、ケース１２の外側に空間Ｓ（図中に墨色で示す）を作り出すことができる。
【００４２】
また、電池モジュール１０では、ケース１２の長手方向（左右方向）及びケース１２の短手方向（前後方向）に複数の二次電池１１を並ぶように設けることにより、各二次電池１１における壁部１２ｃで全周を囲むようにして媒体流路３３を形成することができる。また、モジュール収容部３２の内壁面で電池モジュール１０を囲うように構成する場合には、さらにモジュール収容部３２の内壁面と各壁部１２ｃとの間にも媒体流路３５を形成することができる。
【００４３】
このため、各媒体流路３３，３５を形成するための部材を別体に設ける場合と比較して、電池モジュール１０の体積や重量が増加することを抑制し、体積エネルギー密度や重量エネルギー密度が低下することを好適に抑制できる。そして、矢印５に示すように、各媒体流路３３，３５に熱交換媒体を流すことにより、各二次電池１１の温度調節を行うことができる。
【００４４】
また、電池モジュール１０において各媒体流路３３，３５は、各媒体流路３３，３５を形成する二次電池１１内に収容された電極体２１の電極タブ群２８に沿って設けられる。このため、二次電池１１において充放電時に発熱しやすい電極タブ群２８や集電端子３０，３１と各媒体流路３３，３５とを近接させ、効率的に温度調節（特に冷却）をすることができる。
【００４５】
したがって、本実施形態によれば、以下のような効果を得ることができる。
（１）左端部Ｅ１の延びる方向から見て、電極体２１の電極タブ群２８における厚みは、電極体２１において活物質が塗布されている部分（塗工部）における厚みよりも薄い。また、左端部Ｅ１の延びる方向から見て、電極タブ群２８の厚み方向と直交する方向におけるケース１２の両端部は、電極タブ群２８の厚み方向と直交する方向において端部に向かうほど電極タブ群２８の厚み方向における各壁部１２ｃ間の距離が小さくなるように傾斜する各壁部１２ｃを含む。このため、ケース１２（電極体２１）の両端部において、電極タブ群２８と各壁部１２ｃとの間に生じるデッドスペースを削減し、個々の二次電池１１における体積エネルギー密度を向上させることができる。そして、左右方向及び前後方向に、複数の二次電池１１がそれぞれ隣接して配設され、これにより複数の各壁部１２ｃの外面により囲まれる空間が熱交換媒体を流すための媒体流路３３となっている。このため、各壁部１２ｃを傾斜させることによって作り出されたケース１２の外側の空間Ｓを利用し、全体としての体積を増加させることなく媒体流路３３を形成することができる。したがって、体積エネルギー密度を低下させることなく、二次電池１１の温度調節を好適に行うことができる。
【００４６】
（２）正極用の電極タブ群２８を１つの電極体２１（二次電池１１）毎に１つの集電端子３０に対して１つに纏めて接合させている。なお、負極用の電極タブ群２８側についても同様である。このため、ケース１２内におけるデッドスペースをさらに削減できるととともに、各壁部１２ｃによってケースの外側により大きな空間Ｓを作りだすことができる。したがって、二次電池１１を配置することによって形成できる媒体流路３３の流路面積を大きくし、熱交換媒体との熱交換をさらに促進することができる。
【００４７】
（３）各二次電池１１のケース１２はそれぞれ別体に形成されることから、電池モジュール１０を構成する二次電池１１を一体に形成する場合と比較して、電池モジュール１０を構成する二次電池１１の個数やレイアウトを自由に変更することができる。
【００４８】
（４）上下方向（左端部Ｅ１の延びる方向）に直交する面におけるケース１２の断面は、左端部Ｅ１の延びる方向から見て、左右方向におけるケース１２の両端に頂点を配置した六角形状をなしている。このため、ケース１２の全体を簡単な形状としつつも、ケース１２の外部に媒体流路３３となる空間Ｓを大きく設けることができる。
【００４９】
（５）また、ケース１２の外側に作り出した空間Ｓによって媒体流路３３を形成することから、媒体流路３３を形成するための別部材を必要とせず、且つ電池モジュール１０を大型化させる必要もない。したがって、電池モジュール１０としての体積エネルギー密度や重量エネルギー密度を低下させることなく、二次電池１１の温度調節を好適に行うことができる。
【００５０】
（６）また、本実施形態では、モジュール収容部３２の内壁面と各二次電池１１の各壁部１２ｃとの間に媒体流路３５を形成できる。このため、各二次電池１１における電極タブ群２８に近接した位置で熱交換媒体を流すことが可能となり、より好適に各二次電池１１の温度調節を行うことができる。
【００５１】
（７）各媒体流路３３，３５は、二次電池１１に収容された電極体２１の電極タブ群２８に沿って形成される。したがって、二次電池１１において発熱しやすい電極タブ群２８や各集電端子３０，３１を効率的に温度調節することができる。
【００５２】
実施形態は上記のように限定されるものではなく、例えば以下のように具体化してもよい。
○  図４に示すように、電極体２１は、セパレータ２３を介在させた状態で、矩形のシート状をなす電極シート２４を前後方向（電極シート２４の厚さ方向）に積層し、複数の電極シート２４が層状をなす積層型の電極体としてもよい。この場合、図５に示すように、正極用の電極シート２４における金属箔２４ａの両面には、金属箔２４ａにおける左端部から上下方向の全幅にわたって一定幅で設定された非塗布領域２５を除き、その全面に活物質を塗布し、活物質層２６を形成する。同様に、負極用の電極シート２４における金属箔２４ａの両面には、金属箔２４ａにおける右端部から上下方向の全幅にわたって一定幅で設定された非塗布領域２５を除き、その全面に活物質を塗布し、活物質層２６を形成する。そして、正極用の電極シート２４における非塗布領域２５を打ち抜き加工し、左端部Ｅ１（上下方向）に沿って延びるように正極用の電極タブ２７を形成する一方で、負極用の電極シート２４における非塗布領域２５を打ち抜き加工し、右端部Ｅ２（上下方向）に沿って延びるように負極用の電極タブ２７を形成する。
【００５３】
これにより、電極体２１の左端部Ｅ１には、当該左端部Ｅ１に沿って延びる正極用の電極タブ群２８が電極体２１における左右方向の外側に向かって突出するように設けられる。同様に、電極体２１の右端部Ｅ２には、当該右端部Ｅ２に沿って延びる負極用の電極タブ群２８が電極体２１における左右方向の外側に向かって突出するように設けられる。そして、各電極タブ群２８をそれぞれ１にまとめて各集電端子３０，３１にそれぞれ接合させるとよい。このような構成であっても、ケース１２における左右方向の両端部において、前後方向における各壁部１２ｃ同士の離間距離が、ケース１２（電極体２１）における左右方向の外側に向かうほど小さくなるように傾斜させることができる。そして、本別例の二次電池１１を組み合わせて電池モジュール１０を構成することで、上記実施形態のように媒体流路３３，３５を設けることができる。なお、電極体２１は、セパレータ２３を介在させて、電極シート２４を蛇腹状に折り曲げて積層してもよい。
【００５４】
○  図６（ａ）に示すように、ケース１２における左右方向の両端に、左右方向（電極タブ群２８の突出方向）と直交し、且つ上下方向に沿って延びる壁部１２ｄを設け、この壁部１２ｄに対して各壁部１２ｃが連設されるようにしてもよい。即ち、左端部Ｅ１の延びる方向から見て、電極タブ群２８の厚み方向と直交する方向におけるケース１２の両端部は、電極タブ群２８の厚み方向と直交する方向において端部に向かうほど電極タブ群２８の厚み方向における各壁部１２ｃ間の距離が小さくなるように傾斜する各壁部１２ｃを含んでおればよい。なお、本別例では、ケース１２における上下方向と直交する平面で切断した場合における断面が左右方向に扁平な八角形状となる。このような構成であっても、各壁部１２ｃにより媒体流路３３や媒体流路３５を形成することができる。
【００５５】
○  各壁部１２ｃの形状を適宜変更してもよい。例えば、図６（ｂ）に示すように、各壁部１２ｃは、平面視において円弧状を描くように外側に湾曲させてもよく、内側に湾曲した構成としてもよい。このような構成であっても、各壁部１２ｃにより媒体流路３３や媒体流路３５を形成することができる。
【００５６】
○  各壁部１２ｃの表面（外面）には、オフセットフィンやコルゲートフィンを設けてもよい。このような構成によれば、媒体流路３３や媒体流路３５を流れる熱交換媒体と各二次電池１１との熱交換をさらに促進させることができる。
【００５７】
○  ケース１２における左右方向の両端のうちいずれか一方の各壁部１２ｃを省略し、左右方向と直交する平面をなす壁部を設けてもよい。このような構成であっても、他方の各壁部１２ｃによって各媒体流路３３，３５を形成することができる。
【００５８】
○  電池モジュール１０において、各二次電池１１は、前後方向及び左右方向の両方、又は何れかにおいて、僅かに離間して配置されていてもよい。但し、電池モジュール１０の体積エネルギー密度を向上させる観点からは、上記実施形態のように構成されていることが好ましい。
【００５９】
○  各集電端子３０，３１の形状を変更してもよい。例えば、垂下部３０ｂから電極体２１側へ突出し、且つ前後方向において平行となるように対向する一対の板状部を設けてもよい。この場合には、この各板状部に対して、電極タブ２７を２つに分割して形成した電極タブ群２８をそれぞれ接合させるとよい。さらにこの場合、ケース１２は、図６（ａ）に示すように、上下方向と直交する方向の断面形状が左右方向に扁平な八角形状となるように形成するとよい。
【００６０】
○  電極体２１を構成する電極シート２４の数は適宜変更してもよい。
○  電池モジュール１０を構成する二次電池１１の個数は適宜変更できる。また、前後方向に並べる二次電池１１の個数、及び左右方向に並べる二次電池１１の個数についても、それぞれ複数個であることを条件として適宜変更することができる。
【００６１】
○  ケース１２の形状は、円柱状や、左右方向に扁平な楕円柱状に形成してもよい。
○  各電極シート２４は、金属箔２４ａの両面のいずれか一方の面に活物質を塗布して形成してもよい。即ち、各電極シート２４は、金属箔２４ａの少なくともいずれか一方の面に活物質が塗布されておればよい。
【００６２】
○  本発明は、蓄電装置としての電気二重層キャパシタに具体化してもよい。
【符号の説明】
【００６３】
Ｅ１…左端部（第１辺）、Ｅ２…右端部（第２辺）、１０…電池モジュール（蓄電ユニット）、１１…二次電池（蓄電装置）、１２…ケース、１２ｂ…壁部、１２ｃ…壁部（傾斜部）、１２ｄ…壁部、２１…電極体、２４…電極シート、２４ａ…金属箔（シート）、２５…非塗布領域、２７…電極タブ、２８…電極タブ群（未塗工部）、３３，３５…媒体流路。
【図１】
2013211175.tif 000003
【図２】
2013211175.tif 000004
【図３】
2013211175.tif 000005
【図４】
2013211175.tif 000006
【図５】
2013211175.tif 000007
【図６】
2013211175.tif 000008